【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】室内に配設された室内端末装置、および来訪者の画像を前記室内端末装置に送信するとともに前記室内端末装置との間で通話を行なうことができる来訪者端末装置とを有する撮像装置付きインターホンと、前記撮像装置付きインターホンおよび携帯通信端末装置の間で画像通信の中継を行なうサーバ装置とを備え、前記撮像装置付きインターホンが、来訪者の画像を撮像する撮像手段と、居住者が不在である不在モードを設定する不在設定手段と、前記不在設定手段により不在モードに設定されて来訪者があったときに、前記撮像手段が撮像した来訪者の画像を出力する画像出力手段と、音声の入出力を行なう音声入出力手段と、前記携帯通信端末装置との間で通話を行なう通話手段とを備え、前記サーバ装置が、前記画像出力手段から画像が入力されたときに、前記携帯通信端末装置との間で第１の伝送路を介して回線を確立し、前記携帯通信端末装置に来訪者の来訪を通知する来訪者通知手段と、前記携帯通信端末装置から画像要求通知が行なわれたことを検出する画像要求検出手段と、前記画像要求検出手段で検出された前記画像要求通知により、前記来訪者の画像に前記撮像装置付きインターホンの電話番号の画像を合成して送信する画像送信手段と、前記画像送信手段による画像の送信を終了したときに、前記第１の伝送路を介した回線を切断する回線切断手段とを備え、前記回線切断手段によって回線が切断された後、前記携帯通信端末装置において前記電話番号が選択されることにより、前記携帯通信端末装置と前記撮像装置付きインターホンの前記来訪者端末装置との間で第２の伝送路を介して回線を確立することを特徴とする撮像装置付きインターホンシステム。
【請求項２】  室内に配設された室内端末装置、および来訪者の画像を前記室内端末装置に送信するとともに前記室内端末装置との間で通話を行なうことができる来訪者端末装置とからなる撮像装置付きインターホンと、前記撮像装置付きインターホンおよび前記携帯通信端末装置の間で画像通信の中継を行なうサーバ装置とを備え、前記撮像装置付きインターホンが、来訪者の画像を撮像する撮像手段と、居住者が不在である不在モードを設定する不在設定手段と、前記不在設定手段により不在モードに設定されて来訪者があったときに、前記撮像手段が撮像した来訪者の画像を出力する画像出力手段と、音声の入出力を行なう音声入出力手段と、前記携帯通信端末装置との間で通話を行なう通話手段とを備え、前記サーバ装置が、前記画像出力手段から画像が入力されたときに、前記携帯通信端末装置との間で第１の伝送路を介して回線を確立し、前記携帯通信端末装置に来訪者の来訪を通知する来訪者通知手段と、前記携帯通信端末装置から画像要求通知が行なわれたことを検出する画像要求検出手段と、前記画像要求検出手段で検出された前記画像要求通知により、前記来訪者の画像に回線切断用の画像および前記撮像装置付きインターホンの電話番号の画像を合成して送信する画像送信手段と、前記携帯通信端末装置において前記回線切断用の画像がクリックされることにより送信される回線切断要求信号を検出する回線切断要求検出手段と、前記回線切断要求信号を受信したときに前記第１の伝送路を介した回線を切断する回線切断手段とを備え、前記回線切断手段によって回線が切断された後、前記携帯通信端末装置において前記電話番号が選択されることにより、前記携帯通信端末装置と前記撮像装置付きインターホンの前記来訪者端末装置との間で第２の伝送路を介して回線を確立することを特徴とする撮像装置付きインターホンシステム。
【請求項３】  前記回線切断手段は、前記来訪者通知手段によって来訪者の来訪を通知したときに、所定時間経過しても前記画像要求検出手段が画像要求通知を受け付けないときに前記第１の伝送路を介した回線を切断することを特徴とする請求項１または２記載の撮像装置付きインターホンシステム。
【請求項４】  室内に配設された室内端末装置、および来訪者の画像を前記室内端末装置に送信するとともに前記室内端末装置との間で通話を行なうことができる来訪者端末装置とを有する撮像装置付きインターホンと、サーバ装置を中継して画像通信を行う携帯通信端末装置との通信方法であって、前記来訪者端末装置の呼出し操作が行なわれたときに、来訪者の画像を撮像する撮像手順と、前記室内に居住者が不在である場合、前記画像をサーバ装置に出力する画像出力手順と、前記サーバ装置に画像が入力されたとき、前記携帯通信端末装置との間で第１の伝送路を介して回線を確立し、前記携帯通信端末装置に来訪者の来訪を通知する来訪者通知手順と、前記携帯通信端末装置から画像要求通知が行なわれたことを検出する画像要求検出手順と、前記画像要求通知が行なわれたときに、前記来訪者の画像に前記撮像装置付きインターホンの電話番号の画像を合成した画像を送信する画像送信手順と、前記画像送信手順において画像の送信を終了したときに、前記第１の伝送路を介した回線を切断する回線切断手順と、回線切断後、前記携帯通信端末装置において前記電話番号が選択されることにより前記携帯通信端末装置と前記来訪者端末装置との間で第２の伝送路を介して回線を確立する回線確立手順とを含んでなることを特徴とする撮像装置付きインターホンと携帯通信端末装置の通信方法。
【請求項５】  室内に配設された室内端末装置、および来訪者の画像を前記室内端末装置に送信するとともに前記室内端末装置との間で通話を行なうことができる来訪者端末装置とを有する撮像装置付きインターホンと、サーバ装置を中継して画像通信を行う携帯通信端末装置との通信方法であって、前記来訪者端末装置の呼出し操作が行なわれたときに、来訪者の画像を撮像する撮像手順と、前記室内に居住者が不在である場合、前記画像をサーバ装置に出力する画像出力手順と、前記サーバ装置に画像が入力されたとき、前記携帯通信端末装置との間で第１の伝送路を介して回線を確立し、前記携帯通信端末装置に来訪者の来訪を通知する来訪者通知手順と、前記携帯通信端末装置から画像要求通知が行なわれたことを検出する画像要求検出手順と、前記画像要求通知が行なわれたときに、前記来訪者の画像に回線切断用の画像および前記撮像装置付きインターホンの電話番号の画像を合成して送信する画像送信手順と、前記携帯通信端末装置において前記回線切断用の画像がクリックされることにより送信される回線切断要求信号を検出する回線切断要求検出手順と、前記回線切断要求信号を受信したときに前記第１の伝送路を介した回線を切断する回線切断手順と、回線切断後、前記携帯通信端末装置において前記電話番号が選択されることにより前記携帯通信端末装置と来訪者端末装置との間で第２の伝送路を介して回線を確立する回線確立手順とを含んでなることを特徴とする撮像装置付きインターホンと携帯通信端末装置の通信方法。
【請求項６】  前記回線切断手順では、前記来訪者通知手順において来訪者の来訪を通知したときに、所定時間経過しても前記画像要求検出手順において画像要求通知を受け付けないときに前記第１の伝送路を介した回線を切断することを特徴とする請求項４または５記載の撮像装置付きインターホンと携帯通信端末装置の通信方法。
【請求項７】  前記来訪者通知手順では、前記第１の伝送路を介して回線が確立されたときに、前記サーバ装置から前記携帯通信端末装置に対してＵＲＬが貼付された来訪者の来訪通知による画像取得を知らせる電子メールを送信することを特徴とする請求項４から６の何れかに記載の撮像装置付きインターホンと携帯通信端末装置の通信方法。
【請求項８】  撮像装置付きインターホンの不在モード設定時に前記撮像装置付きインターホンが撮像した来訪者の画像をサーバ装置を中継して受信する携帯通信端末装置であって、前記サーバ装置から送られる来訪者の来訪を通知する信号を検出する来訪者通知検出手段と、前記サーバ装置に対して画像要求通知を行なう画像要求通知手段と、前記画像要求通知後に前記サーバ装置から前記第１の伝送路を介して送信された来訪者の画像に前記撮像装置付きインターホンの電話番号が合成された画像を取込む画像取込み手段と、前記画像取込み手段によって取込まれた来訪者の画像および電話番号が合成された画像を表示する表示手段とを備え、前記電話番号を選択することにより、前記撮像装置付きインターホンを呼び出し可能なことを特徴とする携帯通信端末装置。
【請求項９】  前記画像取込み手段は、前記来訪者の画像に回線切断用の画像を合成した画像を取込むように構成され、前記回線切断用の画像を選択することにより前記サーバ装置に切断要求通知信号を通知する切断要求通知手段を設けたことを特徴とする請求項８記載の携帯通信端末装置。
【手続補正２】
【補正対象書類名】明細書
【補正対象項目名】０００８
【補正方法】変更
【補正の内容】
【０００８】
【課題を解決するための手段】
本発明の撮像装置付きインターホンシステムは、室内に配設された室内端末装置、および来訪者の画像を前記室内端末装置に送信するとともに前記室内端末装置との間で通話を行なうことができる来訪者端末装置とを有する撮像装置付きインターホンと、前記撮像装置付きインターホンおよび携帯通信端末装置の間で画像通信の中継を行なうサーバ装置とを備え、前記撮像装置付きインターホンが、来訪者の画像を撮像する撮像手段と、居住者が不在である不在モードを設定する不在設定手段と、前記不在設定手段により不在モードに設定されて来訪者があったときに、前記撮像手段が撮像した来訪者の画像を出力する画像出力手段と、音声の入出力を行なう音声入出力手段と、前記携帯通信端末装置との間で通話を行なう通話手段とを備え、前記サーバ装置が、前記画像出力手段から画像が入力されたときに、前記携帯通信端末装置との間で第１の伝送路を介して回線を確立し、前記携帯通信端末装置に来訪者の来訪を通知する来訪者通知手段と、前記携帯通信端末装置から画像要求通知が行なわれたことを検出する画像要求検出手段と、前記画像要求検出手段で検出された前記画像要求通知により、前記来訪者の画像に前記撮像装置付きインターホンの電話番号の画像を合成して送信する画像送信手段と、前記画像送信手段による画像の送信を終了したときに、前記第１の伝送路を介した回線を切断する回線切断手段とを備え、前記回線切断手段によって回線が切断された後、前記携帯通信端末装置において前記電話番号が選択されることにより、前記携帯通信端末装置と前記撮像装置付きインターホンの前記来訪者端末装置との間で第２の伝送路を介して回線を確立するように構成される。
【手続補正３】
【補正対象書類名】明細書
【補正対象項目名】０００９
【補正方法】変更
【補正の内容】
【０００９】
このような構成により、住宅や事務所等の居住者の不在時に、来訪者端末装置から来訪者情報を第１の伝送路を介して携帯通信端末装置に通知した後、携帯通信端末装置からの画像要求通知に基づいて来訪者の画像を送信した時点で第１の伝送路を介した回線を切断し、その後、表示部に表示された来訪者端末装置の電話番号を携帯通信端末装置で選択することにより携帯通信端末装置と来訪者端末装置との間で第２の伝送路を介した回線を確立するようにしたため、来訪者を画像で確認した後、簡単な操作で来訪者端末装置と通話を行なうことができる。
【手続補正４】
【補正対象書類名】明細書
【補正対象項目名】００１２
【補正方法】変更
【補正の内容】
【００１２】
本発明の撮像装置付きインターホンシステムは、室内に配設された室内端末装置、および来訪者の画像を前記室内端末装置に送信するとともに前記室内端末装置との間で通話を行なうことができる来訪者端末装置とからなる撮像装置付きインターホンと、前記撮像装置付きインターホンおよび前記携帯通信端末装置の間で画像通信の中継を行なうサーバ装置とを備え、前記撮像装置付きインターホンが、来訪者の画像を撮像する撮像手段と、居住者が不在である不在モードを設定する不在設定手段と、前記不在設定手段により不在モードに設定されて来訪者があったときに、前記撮像手段が撮像した来訪者の画像を出力する画像出力手段と、音声の入出力を行なう音声入出力手段と、前記携帯通信端末装置との間で通話を行なう通話手段とを備え、前記サーバ装置が、前記画像出力手段から画像が入力されたときに、前記携帯通信端末装置との間で第１の伝送路を介して回線を確立し、前記携帯通信端末装置に来訪者の来訪を通知する来訪者通知手段と、前記携帯通信端末装置から画像要求通知が行なわれたことを検出する画像要求検出手段と、前記画像要求検出手段で検出された前記画像要求通知により、前記来訪者の画像に回線切断用の画像および前記撮像装置付きインターホンの電話番号の画像を合成して送信する画像送信手段と、前記携帯通信端末装置において前記回線切断用の画像がクリックされることにより送信される回線切断要求信号を検出する回線切断要求検出手段と、前記回線切断要求信号を受信したときに前記第１の伝送路を介した回線を切断する回線切断手段とを備え、前記回線切断手段によって回線が切断された後、前記携帯通信端末装置において前記電話番号が選択されることにより、前記携帯通信端末装置と前記撮像装置付きインターホンの前記来訪者端末装置との間で第２の伝送路を介して回線を確立するように構成される。
【手続補正５】
【補正対象書類名】明細書
【補正対象項目名】００１３
【補正方法】変更
【補正の内容】
【００１３】
このような構成により、住宅や事務所等の建物の居住者の不在時に、来訪者端末装置から来訪者の来訪情報を第１の伝送路を介して携帯通信端末装置に通知した後、携帯通信端末装置からの画像要求通知に基づいて来訪者の画像を送信し、携帯通信端末装置の表示部に表示された回線切断用の画像を選択することにより、携帯通信端末装置から送信される回線切断要求信号を検出した時点で回線を切断し、回線の切断後に、表示部に表示された来訪者端末装置の電話番号を携帯通信端末装置で選択することにより携帯通信端末装置から着信があったときに第２の伝送路を介した回線を確立するようにしたため、来訪者を画像で確認した後、簡単な操作で来訪者端末装置と通話を行なうことができる。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
本発明の撮像装置付きインターホンと携帯通信端末装置の通信方法は、室内に配設された室内端末装置、および来訪者の画像を前記室内端末装置に送信するとともに前記室内端末装置との間で通話を行なうことができる来訪者端末装置とを有する撮像装置付きインターホンと、サーバ装置を中継して画像通信を行う携帯通信端末装置との通信方法であって、前記来訪者端末装置の呼出し操作が行なわれたときに、来訪者の画像を撮像する撮像手順と、前記室内に居住者が不在である場合、前記画像をサーバ装置に出力する画像出力手順と、前記サーバ装置に画像が入力されたとき、前記携帯通信端末装置との間で第１の伝送路を介して回線を確立し、前記携帯通信端末装置に来訪者の来訪を通知する来訪者通知手順と、前記携帯通信端末装置から画像要求通知が行なわれたことを検出する画像要求検出手順と、前記画像要求通知が行なわれたときに、前記来訪者の画像に前記撮像装置付きインターホンの電話番号の画像を合成した画像を送信する画像送信手順と、前記画像送信手順において画像の送信を終了したときに、前記第１の伝送路を介した回線を切断する回線切断手順と、回線切断後、前記携帯通信端末装置において前記電話番号が選択されることにより前記携帯通信端末装置と前記来訪者端末装置との間で第２の伝送路を介して回線を確立する回線確立手順とを含んでなる。
【手続補正８】
【補正対象書類名】明細書
【補正対象項目名】００２１
【補正方法】変更
【補正の内容】
【００２１】
本発明の撮像装置付きインターホンと携帯通信端末装置の通信方法は、室内に配設された室内端末装置、および来訪者の画像を前記室内端末装置に送信するとともに前記室内端末装置との間で通話を行なうことができる来訪者端末装置とを有する撮像装置付きインターホンと、サーバ装置を中継して画像通信を行う携帯通信端末装置との通信方法であって、前記来訪者端末装置の呼出し操作が行なわれたときに、来訪者の画像を撮像する撮像手順と、前記室内に居住者が不在である場合、前記画像をサーバ装置に出力する画像出力手順と、前記サーバ装置に画像が入力されたとき、前記携帯通信端末装置との間で第１の伝送路を介して回線を確立し、前記携帯通信端末装置に来訪者の来訪を通知する来訪者通知手順と、前記携帯通信端末装置から画像要求通知が行なわれたことを検出する画像要求検出手順と、前記画像要求通知が行なわれたときに、前記来訪者の画像に回線切断用の画像および前記撮像装置付きインターホンの電話番号の画像を合成して送信する画像送信手順と、前記携帯通信端末装置において前記回線切断用の画像がクリックされることにより送信される回線切断要求信号を検出する回線切断要求検出手順と、前記回線切断要求信号を受信したときに前記第１の伝送路を介した回線を切断する回線切断手順と、回線切断後、前記携帯通信端末装置において前記電話番号が選択されることにより前記携帯通信端末装置と来訪者端末装置との間で第２の伝送路を介して回線を確立する回線確立手順とを含んでなる。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】変更
【補正の内容】
【００２９】
本発明の携帯通信端末装置は、撮像装置付きインターホンの不在モード設定時に前記撮像装置付きインターホンが撮像した来訪者の画像をサーバ装置を中継して受信する携帯通信端末装置であって、前記サーバ装置から送られる来訪者の来訪を通知する信号を検出する来訪者通知検出手段と、前記サーバ装置に対して画像要求通知を行なう画像要求通知手段と、前記画像要求通知後に前記サーバ装置から前記第１の伝送路を介して送信された来訪者の画像に前記撮像装置付きインターホンの電話番号が合成された画像を取込む画像取込み手段と、前記画像取込み手段によって取込まれた来訪者の画像および電話番号が合成された画像を表示する表示手段とを備え、前記電話番号を選択することにより、前記撮像装置付きインターホンを呼び出し可能なように構成される。
【手続補正１２】
【補正対象書類名】明細書
【補正対象項目名】００３０
【補正方法】変更
【補正の内容】
【００３０】
このような構成により、来訪者端末装置から不在通知の信号が送信されると、第１の伝送路を介して画像を取込んで表示手段に表示して来訪者を確認した後、来訪者と会話を行ないたいときに表示部に表示された電話番号を選択することにより、来訪者端末装置を呼び出すことができるため、簡単な操作で来訪者端末装置を通して来訪者と通話を行なうことができ、利便性の高い携帯通信端末装置を提供することができる。
【手続補正１３】
【補正対象書類名】明細書
【補正対象項目名】００３２
【補正方法】変更
【補正の内容】
【００３２】
このような構成により、来訪者の確認後に表示部に表示された回線切断用の画像を選択することで回線を簡単に切断することができ、来訪者と会話を行ないたいときに来訪者端末装置を呼び出すことができるため、簡単な操作で来訪者端末装置を通して来訪者と通話を行なうことができ、利便性の高い携帯通信端末装置を提供することができる。
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００４６
【補正方法】変更
【補正の内容】
【００４６】
また、音声系回路１７は、レシーバ３１ａおよびマイク３１ｂを備えた受話器３１と、受話器３１と通話回路１５ｃとの間で音声データの遣り取りを行なうインターフェース２７と、子機１１がＯＮされたときの呼出音を発生させる呼出音発生回路２５と、呼出音の出力およびハンズフリーによる音声出力を行なうカードスピーカー３２と、マイク３３と、音声信号の入力により音声通話の開始を行なうボイススイッチ２６と、通話回路１５ｃと、カードスピーカー３２およびマイク３２の間で音声データの遣り取りを行なうインターフェース２８、２９と、後述するアナログ回線アダプタ１３との間で音声信号の遣り取りを行なうアダプタインターフェース３４とを備えている。
【手続補正１７】
【補正対象書類名】明細書
【補正対象項目名】００５２
【補正方法】変更
【補正の内容】
【００５２】
また、アナログ回線アダプタ１３は、エコーキャンセラ、ボイススイッチの発生および自動利得制御（ＡＧＣ制御）を行なう音声処理部４６と、公衆電話回線網４１を介して交換機４に音声ガイダンスを送出する音声ガイダンス送出回路３６、公衆電話回線網４１を介して交換機４にＤＴＭＦ（ＤｕａｌＴｏｎｅＭｕｌｔｉＦｒｅｑｕｅｎｃｙ）信号を送出するＤＴＭＦ送出回路３５、２線−４線変換回路３８、公衆電話回線網４１からの着信を検出する着信検出回路３９、公衆電話回線網４１からのダイヤルトーン（ＤＴ）信号またはビジートーン（ＢＴ）信号を検出するＤＴ、ＢＴ検出回路４９、および公衆電話回線網４１からのＤＴＭＦ信号を検出するＤＴＭＦ検出回路８０を備えている。
【手続補正１８】
【補正対象書類名】明細書
【補正対象項目名】００６５
【補正方法】変更
【補正の内容】
【００６５】
なお、本実施形態では、回線インターフェース５６、ＩＰ接続制御手段５９およびＣＰＵ５２が来訪者通知手段および回線切断手段を構成し、ＣＰＵ５２が携帯電話７から画像要求通知が行なわれたことを検出する画像要求検出手段を構成し、データ蓄積部５４および回線インターフェース５５が画像送信手段を構成する。
【手続補正１９】
【補正対象書類名】明細書
【補正対象項目名】００７０
【補正方法】変更
【補正の内容】
【００７０】
また、表示部７１には親機１２からサービスセンタ６を介して送信される電子メールが表示されるようになっており、この電子メールの内容としては、例えば、「来訪者が来ました。次のＵＲＬにアクセスして下さい。ＵＲＬ：××××××」等が表示されるようになっている。
【手続補正２０】
【補正対象書類名】明細書
【補正対象項目名】００７７
【補正方法】変更
【補正の内容】
【００７７】
画像送信装置１４のＣＰＵ５２はこの画像を受信すると不在モードに設定されたものと判断するため、ＣＰＵ３７に信号を出力する。このとき、ＣＰＵ３７がスイッチ５０を公衆電話回線網４１と回線インターフェース５６を接続する位置に切換える。
【手続補正２１】
【補正対象書類名】明細書
【補正対象項目名】００８４
【補正方法】変更
【補正の内容】
【００８４】
一方、携帯電話７のユーザは表示部７１に表示された画像を確認して通話を行なうべきか否かを判断し、通話を行なうものと判断したときには、ＴＥＬタグＢをクリックして親機１２を発呼して親機１２と公衆電話網回線を確立し、子機１１と通話を行なう。
【手続補正２２】
【補正対象書類名】明細書
【補正対象項目名】００８５
【補正方法】変更
【補正の内容】
【００８５】
このように本実施形態では、住宅１の居住者の不在時に、親機１２から来訪者の来訪情報をインターネットを介して携帯電話７に通知した後、携帯電話７からの画像要求通知に基づいて来訪者の画像を送信した時点でインターネットを介した回線を切断し、その後、表示部７１に表示された親機１２のＴＥＬタグを携帯電話７のキーマトリックス７３でクリックすることにより携帯電話７から着信があったときにインターネットを介さない回線（第２の伝送路）を確立するようにしたため、来訪者を画像で確認した後、簡単な操作で親機１２を介して子機１１と携帯電話７の間で通話を行なうことができる。
【手続補正２３】
【補正対象書類名】明細書
【補正対象項目名】００８９
【補正方法】削除
【補正の内容】
【手続補正２４】
【補正対象書類名】明細書
【補正対象項目名】００９８
【補正方法】変更
【補正の内容】
【００９８】
一方、携帯電話７のユーザは表示部７１に表示された画像を確認して通話を行なうべきか否かを判断し、通話を行なうものと判断したときには、ＴＥＬタグＢ１をクリックして親機１２を発呼して親機１２と公衆電話網回線を確立し、子機１１と通話を行なう。
【手続補正２５】
【補正対象書類名】明細書
【補正対象項目名】００９９
【補正方法】変更
【補正の内容】
【００９９】
本実施形態では、サーバ装置３が携帯電話７からの画像要求通知に基づいて携帯電話７に来訪者の画像を送信した後、表示部７１に表示された回線切断用の画像Ｃ１をクリックすることにより、インターネットを介した回線を切断し、回線の切断後に、表示部７１に表示された親機１２のＴＥＬタグをキーマトリックス７３でクリックすることにより携帯電話７と親機１２の間でインターネットを介さない回線を確立するようにしたため、来訪者を画像で確認した後、簡単な操作で子機１１と通話を行なうことができる。
【手続補正２６】
【補正対象書類名】明細書
【補正対象項目名】０１０１
【補正方法】変更
【補正の内容】
【０１０１】
この結果、利便性の高い撮像装置付きインターホンシステム、通信方法および携帯電話７を提供することができる。なお、本実施形態では、キーマトリックス７３が切断要求通知手段を構成している。
【手続補正２７】
【補正対象書類名】明細書
【補正対象項目名】符号の説明
【補正方法】変更
【補正の内容】
【符号の説明】
１    住宅（建物）
２    撮像装置付きインターホン
３    サーバ装置
７    携帯電話
１１    子機（来訪者端末装置）
１１ａ    カメラ（撮像手段）
１１ｂ    スピーカー（音声入出力手段）
１１ｃ    マイク（音声入出力手段）
１２    親機（室内端末装置）
１３    アナログ回線アダプタ（サーバ装置）
１４    画像送信装置（サーバ装置）
１５    カメラインターフェース（撮像手段）
１９    画像処理回路（画像出力手段）
２３    操作部（不在設定手段）
２４    ＣＰＵ（画像出力手段）
３１    受話器（音声入出力手段）
４６    音声処理部（通話手段）
５２    ＣＰＵ（画像要求検出手段、来訪者通知手段）
５４    データ蓄積部（画像送信手段）
５６    回線インターフェース（来訪者通知手段、画像送信手段、回線切断手段）
５９    ＩＰ接続制御手段（来訪者通知手段、回線切断手段）
６９    パケット通信部（来訪者通知検出手段、画像取込み手段）
７１    表示部（表示手段）
７２    ＣＰＵ（画像要求通知手段）
７３    キーマトリックス（切断要求通知手段）